(57)【要約】【課題】住宅において居住者の健康面まで考慮された快適な住空間を得られる住宅の気圧管理システムを提供する。【解決手段】建物内部が気密可能に形成された住宅において、建物内部の空気を建物外部に流出させる排気手段１０と、建物外部の空気を建物内部に流入させる給気手段２０と、建物内部の気圧が所定の数値になるように、排気手段１０および給気手段２０の少なくともいずれか一方を作動させる制御手段３０とを備え、制御手段３０は、建物内部の気圧が前記建物外部の気圧と比較して低くなるように、具体的には、０．８９〜０．９９気圧となるように制御する。【選択図】図１
2008151416.tif 000002
【特許請求の範囲】
【請求項１】
建物内部が気密可能に形成された住宅において、
建物内部の空気を建物外部に流出させる排気手段と、
建物外部の空気を建物内部に流入させる給気手段と、
前記建物内部の気圧が所定の数値になるように、前記排気手段および前記給気手段の少なくともいずれか一方を作動させる制御手段とを備えた
ことを特徴とする住宅の気圧管理システム。
【請求項２】
前記制御手段は、前記建物内部の気圧が前記建物外部の気圧と比較して低くなるように制御する
ことを特徴とする請求項１に記載の住宅の気圧管理システム。
【請求項３】
前記制御手段は、前記建物内部の気圧が０．８９〜０．９９気圧となるように前記排気手段および前記給気手段の作動を制御する
ことを特徴とする請求項１または請求項２に記載の住宅の気圧管理システム。
【請求項４】
前記制御手段は、前記建物内部の気圧を計測する圧力センサを備え、この圧力センサで計測された気圧に応じて前記排気手段および前記給気手段の少なくともいずれか一方の流量を制御する
ことを特徴とする請求項１乃至請求項３のいずれか一項に記載の住宅の気圧管理システム。
【請求項５】
前記排気手段は、風量制御バルブを備えており、排気風量を調整することで前記建物内部の気圧を変動させる
ことを特徴とする請求項１乃至請求項４のいずれか一項に記載の住宅の気圧管理システム。
【請求項６】
前記給気手段は、建物内部に空気を流入させる流入口を居室部分に備え、
前記排気手段は、建物内部から空気を流出させる流出口を非居室部分に備えた
ことを特徴とする請求項１乃至請求項５のいずれか一項に記載の住宅の気圧管理システム。
【請求項７】
前記給気手段は、建物内部に空気を流入させる流入口を居室部分に備え、
前記排気手段は、建物内部から空気を流出させる流出口を居室部分および非居室部分に備えた
ことを特徴とする請求項１乃至請求項５のいずれか一項に記載の住宅の気圧管理システム。
【発明の詳細な説明】
【技術分野】
【０００１】
本発明は、建物内部が気密可能に形成された住宅において建物内部の気圧を管理する住宅の気圧管理システムに関する。
【背景技術】
【０００２】
住宅における従来の空調管理システムとしては、安価なイニシャルコストおよびランニングコストで快適な住環境を保持すべく、空調機を換気通路で繋いで、空調空気を効率的に各居室に吹き出すように構成したものが知られている（例えば、特許文献１参照）。
【０００３】
一方、従来の気圧管理システムとしては、動物や医薬品の実験室あるいは病院の居室等において、室内の空気が流出あるいは室外の空気が流入しないように、室内と室外の空気が所定の差圧になるように制御する空気調和機が知られている（例えば、特許文献２および特許文献３参照）。
【特許文献１】特開平１１−１０８３９４号公報
【特許文献２】特開２００４−２７８９２９号公報
【特許文献３】特開平９−２５０７７７号公報
【発明の開示】
【発明が解決しようとする課題】
【０００４】
ところで、ストレス社会における働き盛りの世代は、多忙で緊張した状態が継続する生活によって自立神経のバランスが崩れがちである。そこで、労働から自宅に帰った際に快適な住環境を得られる住宅の空調システムが求められている。特に、近年では温度環境が快適なことは勿論のこと、居住者が心身ともにリラックスできるように、居住者の健康面まで考慮した住宅の空調管理システムが要求されるようになってきている。
【０００５】
しかしながら、特許文献１の空調管理システムは、快適な温度環境を安価なコストで得られるものの、居住者の健康面まで考慮されたものではなかった。
【０００６】
また、特許文献２および特許文献３の気圧管理システムは、室内の空気が室外の空気と所定の差圧になるように構成されてはいるが、動物や医薬品の実験室あるいは病院の居室等において室内の空気が流出あるいは室外の空気が流入しないようにしたものであって、住宅の居住者の健康面を考慮したものではない。
【０００７】
そこで、本発明は、前記の要求を満たすために案出されたものであり、住宅において居住者の健康面まで考慮された快適な住空間を得られる住宅の気圧管理システムを提供することを課題とする。
【課題を解決するための手段】
【０００８】
前記課題を解決するための請求項１に係る発明は、建物内部が気密可能に形成された住宅において、建物内部の空気を建物外部に流出させる排気手段と、建物外部の空気を建物内部に流入させる給気手段と、前記建物内部の気圧が所定の数値になるように、前記排気手段および前記給気手段の少なくともいずれか一方を作動させる制御手段とを備えたことを特徴とする住宅の気圧管理システムである。
【０００９】
すなわち、本発明は、気圧が交感神経と副交感神経のバランスに影響することに着目し、室内の気圧を積極的に管理することで、居住者の健康面を考慮するようにした住宅の気圧管理システムである。前記のような構成によれば、建物内部を高圧に保つことで、交感神経が優位になり、活発な活動を促進できるとともに、建物内部を低圧に保つことで、副交感神経が優位になり、安静な休息を行うことができるので、居住者は自律神経をある程度コントロールすることができ、健康面まで考慮された快適な室内空間を得ることができる。
【００１０】
請求項２に係る発明は、前記制御手段が、前記建物内部の気圧が前記建物外部の気圧と比較して低くなるように制御することを特徴とする請求項１に記載の住宅の気圧管理システムである。
【００１１】
このような構成によれば、建物内部を低圧に保つことで、副交感神経が優位になり、居住者はリラックス状態となり、心身ともにリラックスできる。
【００１２】
請求項３に係る発明は、前記制御手段が、前記建物内部の気圧が０．８９〜０．９９気圧となるように前記排気手段および前記給気手段の作動を制御することを特徴とする請求項１または請求項２に記載の住宅の気圧管理システムである。
【００１３】
前記気圧の数値は、日本における都道府県別の平均寿命の高い地域の平均気圧に基づくものである。このような気圧に着目して、建物内部の気圧を０．８９〜０．９９気圧といった微低圧とすることで、健康状態を好適に保持することができる。
【００１４】
請求項４に係る発明は、前記制御手段が、前記建物内部の気圧を計測する圧力センサを備え、この圧力センサで計測された気圧に応じて前記排気手段および前記給気手段の少なくともいずれか一方の流量を制御することを特徴とする請求項１乃至請求項３のいずれか一項に記載の住宅の気圧管理システムである。
【００１５】
このような構成によれば、建物内部の気圧を、所望の数値に正確かつ容易に制御することができる。
【００１６】
請求項５に係る発明は、前記排気手段が、風量制御バルブを備えており、排気風量を調整することで前記建物内部の気圧を変動させることを特徴とする請求項１乃至請求項４のいずれか一項に記載の住宅の気圧管理システムである。
【００１７】
このような構成によれば、容易な構成で建物内部の気圧を制御することができ、コストダウンを達成できる。
【００１８】
請求項６に係る発明は、前記給気手段が、建物内部に空気を流入させる流入口を居室部分に備え、前記排気手段が、建物内部から空気を流出させる流出口を非居室部分に備えたことを特徴とする請求項１乃至請求項５のいずれか一項に記載の住宅の気圧管理システムである。
【００１９】
このような構成によれば、居室部分内には常に新鮮な空気が供給されるので、快適な住環境を得られる。
【００２０】
請求項７に係る発明は、前記給気手段が、建物内部に空気を流入させる流入口を居室部分に備え、前記排気手段が、建物内部から空気を流出させる流出口を居室部分および非居室部分に備えたことを特徴とする請求項１乃至請求項５のいずれか一項に記載の住宅の気圧管理システムである。
【００２１】
このような構成によれば、少ない給排気量で居室部分ごとに気圧を調整することができる。
【発明の効果】
【００２２】
本発明によれば、住宅において居住者の健康面まで考慮された快適な住空間を得ることができるといった優れた効果を発揮する。
【発明を実施するための最良の形態】
【００２３】
本発明を実施するための最良の形態について図面を参照して詳細に説明する。
【００２４】
図１は本発明に係る住宅の気圧管理システムを実施するための最良の形態を示した概略構成図、図２は本発明に係る住宅の気圧管理システムを実施するための最良の形態を示した断面図である。
【００２５】
まず、本発明にかかる住宅の気圧管理システムの構成について説明する。
【００２６】
かかる住宅の気圧管理システムは、例えば、ツーバイフォー工法などによる建物内部が建物外部に対して気密可能に形成された高気密住宅に適用されるものである。図１に示すように、この気圧管理システムは、建物内部の空気を建物外部に流出させる排気手段１０と、建物外部の空気を建物内部に流入させる給気手段２０と、建物内部の気圧が所定の数値になるように、排気手段１０および給気手段２０の少なくともいずれか一方を作動させる制御手段３０とを備えている。特に、本実施の形態では、制御手段３０は、建物内部の気圧が建物外部の気圧と比較して低くなるように制御するように構成されている。具体的には、建物内部の気圧は、０．８９〜０．９９気圧となるように制御される。
【００２７】
排気手段１０は、外壁面に設けられた排気口１１と、建物内部の各空間から空気を吸気して排気口１１へと送り出す排気装置１２と、建物内部から空気を流出させるべく建物内部の各空間に設けられた建物内空気流出口１３とを備えている。
【００２８】
排気口１１は、例えば外壁面等に設置されて建物外部に開口しており、風雨よけのためのフード等を有している。排気口１１と排気装置１２との間には、これらを連通する排気流路１４が設けられている。排気流路１４は、天井裏等の建物の室内から見えない場所に配設されている。排気流路１４には、排気風量を調節する風量制御バルブ１５が設けられている。この風量制御バルブ１５は、可変ダンパ（図示せず）を回動させる等して流路の断面を変動させることで、排気風量を調節するようになっている。
【００２９】
排気装置１２は、本実施の形態では、建物内部の空気の換気を行うとともに空調全般を行う空気調和機本体５１にて構成されている。空気調和機本体５１は、建物内部の空気を吸引して建物外部に流出させるとともに、建物外部の空気を給気して建物内部に供給するように構成されており、後記する給気手段２０の一部を構成する給気装置２２の役目も果たすようになっている。さらに、空気調和機本体５１は、建物外部に設置された室外機５２（図２参照）と接続されており、冷房や暖房を行うことで建物内部の温度調整を図っている。
【００３０】
建物内空気流出口１３は、本実施の形態では、非居室部分にそれぞれ設けられている。非居室部分とは、居住者が長時間継続的に使用する室以外の空間をいい、例えば、廊下、トイレ、浴室、台所、納戸等が該当する。建物内空気流出口１３は、例えば天井から非居室部分の室内側に向かって開口しており、その天井裏側には、排気装置１２（空気調和機本体５１）に繋がる室内側排気流路１６が接続されている。室内側排気流路１６には、その内部の空気を浄化するフィルタボックス５３が接続されており、非居室部分から流出してきた室内側排気流路１６内の空気から埃や臭気等を除去して空気清浄した後に、排気装置１２に送るように構成されている。フィルタボックス５３は、各非居室部分の建物内空気流出口１３から延びる室内側排気流路１６の途中に設けられた排気フィルタ（図示せず）を有している。室内側排気流路１６は、分岐ダクト１７を介して各建物内空気流出口１３に分岐されている。なお、図２に示すように、室内側排気流路１６を排気装置１２にそれぞれ接続してもよく、必ずしも分岐ダクト１７を設けなくてもよい。
【００３１】
給気手段２０は、外壁面に設けられた給気口２１と、この給気口２１を介して建物外部の空気を給気して建物内部の各空間へと送り出す給気装置２２と、建物内部に空気を流入させるべく建物内部の各空間に設けられた建物内空気流入口２３とを備えている。
【００３２】
給気口２１は、例えば外壁面等に配置されて建物外部に開口しており、風雨よけのためのフードを有している。給気口２１と給気装置２２との間には、これらを連通する給気流路２４が設けられている。給気流路２４は、天井裏等の建物の室内から見えない場所に配設されている。給気流路２４には、その内部の空気を浄化するフィルタボックス５３が接続されており、建物外部から引き込んだ給気流路２４内の空気から埃や臭気等を除去した後に、給気装置２２に送るように構成されている。このフィルタボックス５３は、室内側排気流路１６に設けられたフィルタボックス５３と一体的に構成されており、前記した排気フィルタと、給気流路２４の途中に設けられた給気フィルタ（図示せず）と別系統で有している。
【００３３】
給気装置２２は、本実施の形態では、建物内部の空気の換気を行うとともに冷暖房等の空調全般を行う空気調和機本体５１にて構成されている。空気調和機本体５１は、建物内部の空気を吸引して建物外部に流出させるとともに、建物外部の空気を給気して建物内部に供給するように構成されており、排気装置１２と給気装置２２の役目の両方を果たすように構成されている。
【００３４】
建物内空気流入口２３は、本実施の形態では、居室部分に設けられている。居室部分とは、居住者が長時間継続的に使用する室空間をいい、例えば、居間、食堂、洋室、和室等が該当する。建物内空気流入口２３は、例えば天井から室内に向かって開口しており、その天井裏側には、給気装置２２（空気調和機本体５１）に繋がる室内側給気流路２６が接続されている。室内側給気流路２６は、分岐ダクト２７を介して各建物内空気流入口２３に分岐されている。なお、室内側給気流路２６を給気装置２２にそれぞれ接続してもよく、必ずしも分岐ダクト２７を設けなくてもよい。
【００３５】
制御手段３０は、排気装置１２および給気装置２２である空気調和機本体５１に電気的に接続されるか、あるいは一体的に収容された制御装置３１を備えている。制御装置３１は、マイクロコンピュータ等にて構成されており、建物内部の気圧が所定の数値になるように、排気手段１０の排気装置１２および給気手段２０の給気装置２２の少なくともいずれか一方を作動させるようにプログラムされている。具体的には、制御装置３１は、排気装置１２のみを作動させるか、排気量が給気量よりも多くなるように排気装置１２および給気装置２２を作動させることで、建物内部の気圧が建物外部の気圧と比較して低くなるように空気調和機本体５１を作動させる。
【００３６】
なお、本実施の形態では、建物内部の気圧が建物外部よりも低圧になるように構成されているが、建物内部の気圧を建物外部よりも高圧にする場合は、給気装置２２のみを作動させるか、排気量が給気量よりも少なくなるように排気装置１２および給気装置２２を作動させればよい。
【００３７】
制御手段３０は、建物内部の気圧を計測する圧力センサ３２をさらに備えている。圧力センサ３２は、例えば居住者が最も長い時間を過ごすと思われる居間などの居室に設けられており、居住者の居住空間の気圧を０．８９〜０．９９気圧に管理するように構成されている。なお、図２に示すように、建物内部の扉５５にはアンダーカット５６（建具の下部に設けられる隙間）や換気ガラリ（図示せず）等が形成されており、建物内部の各部分の気圧は略同一に保持される。したがって、建物内部の気圧は圧力センサ３２の気圧計測値と略同一に保持されることとなる。圧力センサ３２は、制御装置３１に電気的に接続されており、居間の気圧（建物内部の気圧）を常時制御装置３１に伝達している。
【００３８】
建物内部の気圧が所望の値（０．８９〜０．９９気圧）より高い場合には、制御装置３１は、排気量を増加させるか給気量を低下させ、或いはその両方を行うように空気調和機本体５１の作動を制御し、建物内部の気圧を低下させる。また、建物内部の気圧が所望の値（０．８９〜０．９９気圧）より低い場合には、制御装置３１は、排気量を低下させるか給気量を増加させ、或いはその両方を行うように空気調和機本体５１の作動を制御し、建物内部の気圧を増加させる。
【００３９】
なお、図中３３は、スイッチを示し、空気調和機本体５１の作動・停止の切替を行う。なお、スイッチ３３は、建物内部の温度設定や暖房、冷房および換気の運転切替等も行う機能を備えている。さらに、スイッチ３３は、建物内部の気圧設定の機能を備えており、建物内部の設定気圧を０．８９〜０．９９気圧の範囲で変更することができる。
【００４０】
ところで、本実施の形態においては、建物内部の気圧を０．８９〜０．９９気圧の範囲で低圧に設定したことを特徴とする。以下に、設定気圧（０．８９〜０．９９気圧）の根拠について説明する。
【００４１】
本発明者は、温度環境のみならず、健康面まで考慮された住宅の空調システムを提供するために、気圧が交感神経と副交感神経のバランスに影響することに着目し、室内の気圧を積極的に管理することで、自律神経のバランスを保つことができ、居住者の健康面を考慮するようにした住宅の気圧管理システムを案出した。具体的には、気圧と交感神経および副交感神経とのバランスは、高圧の場合では、空気が重く酸素が濃いため、呼吸数・脈拍数・血圧が上昇し、活発な活動状態となり、交感神経が優位（興奮状態）になり、血液の白血球のうち顆粒球が優位となる。顆粒球とは、血液中の細菌などの異物を飲み込んで酸素や活性酸素で分解する機能を有しており、顆粒球が増加すると、殺菌処理力が高くなる。しかし、顆粒球が過剰に優位となると活性酸素が大量に発生するとともに、リンパ球の割合が減少し免疫力の低下を起こしてしまうという弊害を有している。一方、低圧の場合には、空気が軽く酸素が薄いため、呼吸数・脈拍数・血圧が低下し、安静な休息状態となり、副交感神経が優位（リラックス状態）になり、血液の白血球のうちリンパ球が優位となる。リンパ球とは、血液中の粒子の小さい異物（消化酵素で分解された異種タンパク、花粉、ウイルスなど）を凝集させて、顆粒球に飲み込ませる機能を有しており、リンパ球が増加すると免疫力が高くなる。
【００４２】
ところで、顆粒球とリンパ球の理想のバランスは、顆粒球６に対して、リンパ球４であると言われている。例えば、忙しく働いて無理をすると、顆粒球が増加して、顆粒球７〜８に対してリンパ球３〜２といったバランスになり、胃等の内臓の粘膜を破壊する病気を引き起こすおそれがあると言われている。
【００４３】
そこで、どの程度の低圧とするのが好ましいかを考え、各都道府県の平均寿命に着目した。図３は、男女の各都道府県別の平均寿命の上位１０県を示した表（２０００年厚生労働省）であるが、長野県は、男性が７８．９０歳（全国１位）で全国平均７７．７１歳を大きく引き離しており、女性も８５．３１歳（全国３位）で全国平均８４．６２歳を引き離している。このように長野県は男女ともに平均寿命が高いが、これは生活環境が良好である証拠である。そこで、長野県の各地の平均気圧と東京の平均気圧とを比較した。図４は、各地の年間平均現地気圧を示した表（２０００年気象庁）であるが、平均寿命の上位１０県に入っていない東京は年間平均気圧が１．００気圧であるのに対して、長野県内各地の年間平均気圧は、長野０．９５気圧、軽井沢０．８９気圧、松本０．９３気圧、飯田０．９４気圧、諏訪０．９１気圧である。また、長野県は、都道府県別一人当たり老人医療費が最も少ない県であり、高齢でも健康な県民の割合が高いと考えられる。
【００４４】
以上のデータより、気圧が０．８９〜０．９５の低圧環境では、健康面に良好な影響を及ぼすと考えられる。また、顆粒球とリンパ球のバランスを良好に保つには、低圧の環境をつくり、リラックス状態を保持するのがよい。以上のことを考慮して、本発明では、住宅の建物内部を０．８９〜０．９９気圧の微低圧とするようにした。
【００４５】
次に、以上のような構成の住宅の気圧管理システムの作用効果について説明する。
【００４６】
かかる気圧管理システムを使用するに際しては、スイッチを操作して、空気調和機本体５１をＯＮ状態にするとともに建物内部の気圧を０．８９〜０．９９気圧の範囲で設定する。このとき、疲れが溜まっている場合等には、０．８９気圧等の低い気圧に設定すればよりリラックス効果が高い。
【００４７】
空気調和機本体５１が作動すると、制御装置３１によって排気流量が給気流量より多くなるように排気装置１２、風量制御バルブ１５および給気装置２２の作動制御が行われる。これによって、建物内部が低圧になるように給排気が行われる。なお、この給排気は、給気装置２２を停止させた状態で排気装置１２のみを作動させるようにしてもよい。
【００４８】
このとき、廊下、トイレ、浴室、台所、納戸等の非居室部分では、建物内空気流出口１３から建物内部の空気が吸引される。吸引された建物内部の空気は、室内側排気流路１６、分岐ダクト１７、排気装置１２、排気流路１４を介して、排気口１１から建物外部に排気される。室内側排気流路１６では、フィルタボックス５３を通過することで、空気が浄化される。また、排気流路１４では、風量制御バルブ１５の可変ダンパを回動させて流路の断面を変動させることで通過流量が調節され、排気装置１２の排気量の流量変更と併せて、排気風量が調節される。
【００４９】
居間、食堂、洋室、和室等の居室部分では、給気口２１から、給気流路２４、給気装置２２、室内側給気流路２６を介して吸引された建物外部の空気が、建物内空気流入口２３より流入される。給気流路２４では、フィルタボックス５３を通過することで、空気が浄化される。
【００５０】
ここで、排気流量が給気流量より多いので、建物内部は建物外部よりも低圧（負圧）となる。図２に示すように、建物内部では、居室部分に流入された空気は、扉５５下部のアンダーカット５６を通過して非居室部分に流れる（図中の矢印参照）こととなるので、建物内部の各空間の気圧は略同一になる。建物内部の気圧は、徐々に低下することとなるが、居間に設けられた圧力センサ３２によって計測され、この圧力センサ３２で検出される気圧が設定値になると、制御装置３１は排気流量を低減させるか、給気流量を増加させるか、或いはその両方の作動によって、気圧を維持するようにする。本実施の形態では、圧力センサ３２は居間に設けられているが、建物内部の気圧は略同一であるので、建物内部の各空間は、居間と同様に、設定した気圧に維持されることとなる。
【００５１】
このように、建物内部の気圧を０．８９〜０．９９気圧の範囲で所定の設定値の低圧に保持するようにしたことで、特に顆粒球が優位の居住者がこの住宅内にいる間は、顆粒球とリンパ球を理想のバランスに近づけることができ、副交感神経が優位になり、安静な休息を行うことができる。したがって、居住者は自律神経をある程度コントロールすることができ、健康面において非常に好ましい状態となる。また、建物内部を高圧に保つようにすれば、交感神経が優位になり、活発な活動を促進することもできる。
【００５２】
また、本実施の形態では、排気手段１０が、風量制御バルブ１５を備えており、流路断面積を変化させて排気風量を調整することで建物内部の気圧を変動させるようにしているので、容易な構成で建物内部の気圧を制御することができ、装置のコストダウンを達成できる。
【００５３】
さらに、給気手段２０の建物内空気流入口２３が居室部分に設けられているので、居室部分内には常に新鮮な空気が供給されるので、快適な住環境を得られる。さらに、排気手段１０の建物内空気流出口１３は非居室部分に設けられているので、トイレ等の臭気が居室部分に流れ込むことはない。
【００５４】
以上のように、本発明によれば、住宅において居住者の健康面まで考慮された快適な住空間を得ることができ、居住者の健康を保持でき、長寿命化のための一助を達成できる。
【００５５】
図５は本発明に係る住宅の気圧管理システムを実施するための最良の他の形態を示した概略構成図である。
【００５６】
本実施の形態に係る気圧管理システムは、図１に示した実施の形態では非居室部分にのみ設けられていた排気手段１０の建物内空気流出口１３を、居室部分にも設けたことを特徴とする。
【００５７】
すなわち、建物内部の居間、食堂、洋室、和室等の居室部分には、排気手段１０の建物内空気流出口１３と、給気手段２０の建物内空気流入口２３の両方が設けられ、廊下、トイレ、浴室、台所、納戸等の非居室部分には、排気手段１０の建物内空気流出口１３のみが設けられている。居室部分の排気手段１０の建物内空気流出口１３には、室内側排気流路１６が接続されている。各建物内空気流出口１３に接続された室内側排気流路１６は分岐ダクト１７に接続されて集約され、さらに集約された室内側排気流路１６を介して排気装置１２に繋がっている。
【００５８】
なお、その他の構成については、図１に示した実施の形態の住宅の気圧管理システムと同様であるので同じ符号を付して説明を省略する。
【００５９】
以上のような構成によれば、図１の住宅の気圧管理システムと同等の作用効果を得られる他に、居室ごとに給排気を行うことができるので、気圧管理の対象容積が小さく、少ない給排気量で気圧を調整することができるとともに、短時間で所望の気圧に調整することができる。また、各居室を気密可能に形成し、それぞれに圧力センサを設ければ、居室ごとに設定圧力を変えることができる。
【００６０】
以上、本発明を実施するための形態について説明したが、本発明は前記実施の形態に限定されず、本発明の趣旨を逸脱しない範囲で適宜設計変更が可能である。例えば、前記実施の形態では、建物内に圧力センサ３２を設けて、その圧力センサ３２の計測値に応じて、給排気量を制御するようにしているが、これに限られるものではない。例えば、制御装置に、建物内部が所望の気圧になる給気量と排気量を予め複数入力しておき、設定された気圧に対応する給排気を行うことで、建物内部の気圧を調整するようにしてもよい。この場合、建物内部の容積に応じて決定された給気量と排気量を予め入力することで、正確な建物内部の気圧管理を行うことができる。このような構成によれば、圧力センサを設ける必要はなく、コストダウンが図れる。
【図面の簡単な説明】
【００６１】
【図１】本発明に係る住宅の気圧管理システムを実施するための最良の形態を示した概略構成図である。
【図２】本発明に係る住宅の気圧管理システムを実施するための最良の形態を示した断面図である。
【図３】男女の各都道府県別の平均寿命の上位１０県を示した一覧表である。
【図４】各地の年間平均現地気圧を示した一覧表である。
【図５】本発明に係る住宅の気圧管理システムを実施するための最良の他の形態を示した概略構成図である。
【符号の説明】
【００６２】
１０    排気手段
１３    建物内空気流出口
１５    風量制御バルブ
２０    給気手段
２３    建物内空気流入口
３０    制御手段
３２    圧力センサ
【図１】
2008151416.tif 000003
【図２】
2008151416.tif 000004
【図３】
2008151416.tif 000005
【図４】
2008151416.tif 000006
【図５】
2008151416.tif 000007